(57)【要約】【課題】目的地周辺駐車場案内機能の利便性を向上させることができる「電子装置、周辺駐車場検索方法および周辺駐車場検索プログラム」を提供することにある。【解決手段】地図データに基づき、目的地周辺の駐車場を検索する電子装置であって、目的地周辺の駐車場を検索するとき、ユーザによって設定された目的地がイベント会場であるか否かを判定し、イベント会場であると判定されたとき、目的地周辺の第１範囲に存在する駐車場を除外して検索し、または、目的地周辺の第１範囲外でありかつ第２範囲内に存在する駐車場を検索し、検索結果を表示させる。【選択図】図５
2016024166.tif 000002
【特許請求の範囲】
【請求項１】
少なくとも施設情報を含む地図データに基づき、目的地周辺の駐車場を検索する電子装置であって、
前記目的地を設定する目的地設定手段と、
前記目的地設定手段により設定された前記目的地が催事会場であるか否かを判定する判定手段と、
前記判定手段により前記目的地が催事会場であると判定されたとき、前記目的地を含む前記目的地周辺の第１範囲外の駐車場を検索する検索手段と、
前記検索手段により検索された駐車場をディスプレイに表示させる表示制御手段と、
を有する電子装置。
【請求項２】
前記第１範囲は、前記目的地を中心とした第１半径で示される範囲である、
請求項１に記載の電子装置。
【請求項３】
前記検索手段は、前記駐車場を検索するとき、前記第１範囲外であり、かつ、前記第１範囲より広域な前記第１範囲を包含する第２範囲内に存在する駐車場を検索する、
請求項１または請求項２のいずれかに記載の電子装置。
【請求項４】
前記第２範囲は前記目的地を中心とした第２半径で示される範囲である、
請求項３に記載の電子装置。
【請求項５】
前記第２範囲は、ユーザ操作によって設定可能である、
請求項３または請求項４のいずれかに記載の電子装置。
【請求項６】
前記第１範囲は、ユーザ操作によって設定可能である、
請求項１ないし請求項５のいずれか一項に記載の電子装置。
【請求項７】
前記地図データは、道路ネットワークデータを含んでおり、
前記表示制御手段は、前記目的地周辺の地図データを読み出し、前記地図データに基づき地図をディスプレイに表示させるとともに、少なくとも前記第１範囲を前記地図上に表示させる、
請求項１ないし請求項６のいずれか一項に記載の電子装置。
【請求項８】
前記ディスプレイの前面にタッチパネルを有し、
前記第１範囲は、前記ユーザの前記タッチパネルへのタッチ操作またはスライド操作によって、設定可能である、
請求項７に記載の電子装置。
【請求項９】
前記表示制御手段は、検索された駐車場を前記ディスプレイに表示させるとき、リスト形式で表示させる、
請求項１ないし請求項８のいずれか一項に記載の電子装置。
【請求項１０】
前記地図データには、経路探索を行うための経路探索データを含んでおり、
前記検索手段により検索された駐車場から１つの駐車場を選択する選択手段と、
現在位置から前記選択手段により選択された駐車場までの経路を前記経路探索データに基づき、探索する経路探索手段と、をさらに有する、
請求項１ないし請求項９のいずれか一項に記載の電子装置。
【請求項１１】
前記経路探索手段は、現在位置から前記選択手段により選択された駐車場を経由し、前記目的地に至る経路を探索する、
請求項１０に記載の電子装置。
【請求項１２】
前記地図データの前記経路探索データは、道路属性情報を有しており、
前記経路探索手段は、前記道路属性情報に基づき、前記現在位置から前記駐車場までは、車両を利用した経路を探索し、前記駐車場から前記目的地までは、徒歩および公共交通機関を利用した経路を探索する、
請求項１１に記載の電子装置。
【請求項１３】
前記判定手段は、前記目的地設定手段により設定された前記目的地が、少なくともスポーツ施設、ホール、劇場のうち、いずれか１つに該当する場合、前記催事会場であると判定する、
請求項１ないし請求項１２のいずれか一項に記載の電子装置。
【請求項１４】
通信ネットワークと接続可能な通信手段と、
前記目的地設定手段により目的地が設定されたとき、設定された前記目的地で開催されるイベント情報を、前記イベント情報が記憶されたサーバから前記通信手段を介して取得する催事情報取得手段と、
前記判定手段は、前記催事情報取得手段により取得した前記目的地で開催されるイベント情報に基づき、前記目的地でイベントが開催中または開催予定である目的地を催事会場であると判定する、
請求項１ないし請求項１２のいずれか一項に記載の電子装置。
【請求項１５】
少なくとも施設情報を含む地図データに基づき、目的地周辺の駐車場を検索する電子装置の周辺駐車場検索方法であって、
前記目的地を設定する目的地設定ステップと、
前記目的地設定ステップにより設定された前記目的地が催事会場であるか否かを判定する判定ステップと、
前記判定ステップにより前記目的地が催事会場であると判定されたとき、前記目的地を含む前記目的地周辺の第１範囲外の駐車場を検索する検索ステップと、
前記検索ステップにより検索された駐車場をディスプレイに表示させる表示制御ステップと、
を有する電子装置の周辺駐車場検索方法。
【請求項１６】
前記検索ステップは、前記駐車場を検索するとき、前記第１範囲外であり、かつ、前記第１範囲より広域な前記第１範囲を包含する第２範囲内に存在する駐車場を検索する、
請求項１５に記載の電子装置の周辺駐車場検索方法。
【請求項１７】
少なくとも施設情報を含む地図データに基づき、目的地周辺の駐車場を検索する電子装置の周辺駐車場検索プログラムであって、
前記目的地を設定する目的地設定ステップと、
前記目的地設定ステップにより設定された前記目的地が催事会場であるか否かを判定する判定ステップと、
前記判定ステップにより前記目的地が催事会場であると判定されたとき、前記目的地を含む前記目的地周辺の第１範囲外の駐車場を検索する検索ステップと、
前記検索ステップにより検索された駐車場をディスプレイに表示させる表示制御ステップと、
を実行する電子装置の周辺駐車場検索プログラム。
【請求項１８】
前記検索ステップは、前記駐車場を検索するとき、前記第１範囲外であり、かつ、前記第１範囲より広域な前記第１範囲を包含する第２範囲内に存在する駐車場を検索する、
請求項１７に記載の電子装置の周辺駐車場検索プログラム。
【発明の詳細な説明】
【技術分野】
【０００１】
本発明は、目的地周辺の駐車場を探索する電子装置に関し、特に、その周辺駐車場検索方法、および周辺駐車場検索プログラムに関するものである。
【背景技術】
【０００２】
従来、車両に搭載されたナビゲーション装置などの電子装置は、現在位置からユーザによって指定された目的地までの経路を探索し、探索された経路の誘導案内を行うことで、ユーザが容易に目的地に到達できるようにしている。
【０００３】
ユーザが車を用いて所望の施設や地点に向かうとき、その所望の施設や地点を目的地に設定すると、目的地までの経路が探索され、探索された経路の案内が開始される。そして、ユーザはこの案内に従い目的地に向かうが、目的地に到着しても、目的地に駐車場が存在しないことがあり、その場合、続いて目的地周辺の駐車場を検索し、その駐車場を再度目的地に設定し、駐車場に向かうことがある。
例えば、特許文献１には、地図に表示された駐車場ボタンを選択すると、設定された目的地周辺の駐車場を検索する駐車場検索システムが開示されている。また、特許文献２には、目的地周辺の駐車場を検索するとき、目的地に設定された施設の規模に応じて、その検索範囲を変化させる経路探索装置が開示されている。
【先行技術文献】
【特許文献】
【０００４】
【特許文献１】特開２００２−３１０６８５号公報
【特許文献２】国際公開第２００７／１１６６５０号
【発明の概要】
【発明が解決しようとする課題】
【０００５】
上述する特許文献１および特許文献２はともに、目的地を中心とした所定範囲内の駐車場を検索するものであるが、例えば、ユーザがイベント（コンサートや展示会、スポーツ大会、祭り、花火大会など）に参加するとき、イベント会場に近い駐車場に駐車してしまうと、イベント終了後、車で来場した観客が一斉に出発するため、大混雑に巻き込まれてしまう。ユーザにとっては、イベント終了後にそのような大混雑に巻き込まれてしまうのであれば、イベント会場に向かうときに少し遠いところに車を駐車させ、徒歩や公共交通機関を使って目的地まで行っておけば、イベント終了後の混雑を回避できると考える。つまり、目的地周辺の駐車場を案内することが必ずしもベストな案内ではない場合もある。
【０００６】
そこで、本発明は、上記課題に鑑みて創作されたものであり、その目的は、目的地周辺駐車場案内機能の利便性を向上させることができる電子装置、その周辺駐車場検索方法および周辺駐車場検索プログラムを提供することにある。
【課題を解決するための手段】
【０００７】
本発明の電子装置は、少なくとも施設情報を含む地図データに基づき、目的地周辺の駐車場を検索する電子装置であって、前記目的地を設定する目的地設定手段と、前記目的地設定手段により設定された前記目的地が催事会場であるか否かを判定する判定手段と、前記判定手段により前記目的地が催事会場であると判定されたとき、前記目的地を含む前記目的地周辺の第１範囲外の駐車場を検索する検索手段と、前記検索手段により検索された駐車場をディスプレイに表示させる表示制御手段と、を有する。
【０００８】
好ましくは、前記検索手段は、前記駐車場を検索するとき、前記第１範囲外であり、かつ、前記第１範囲より広域な前記第１範囲を包含する第２範囲内に存在する駐車場を検索する。
また、前記第１範囲は、前記目的地を中心とした第１半径で示される範囲であり、前記第２範囲は前記目的地を中心とした第２半径で示される範囲である。そして、前記第１範囲および前記第２範囲は、ユーザ操作によって設定可能である。
【０００９】
さらに、前記地図データは、道路ネットワークデータを含んでおり、前記表示制御手段は、前記目的地周辺の地図データを読み出し、前記地図データに基づき地図をディスプレイに表示させるとともに、少なくとも前記第１範囲を前記地図上に表示させる。
そして、前記ディスプレイの前面にタッチパネルを有し、前記第１範囲は、前記ユーザの前記タッチパネルへのタッチ操作またはスライド操作によって、設定可能である。
好ましくは、前記表示制御手段は、検索された駐車場を前記ディスプレイに表示させるとき、リスト形式で表示させる。
【００１０】
さらに、前記地図データには、経路探索を行うための経路探索データを含んでおり、前記検索手段により検索された駐車場から１つの駐車場を選択する選択手段と、現在位置から前記選択手段により選択された駐車場までの経路を前記経路探索データに基づき、探索する経路探索手段と、を有する。
好ましくは、前記経路探索手段は、現在位置から前記選択手段により選択された駐車場を経由し、前記目的地に至る経路を探索し、前記地図データの前記経路探索データは、道路属性情報を有しており、前記経路探索手段は、前記道路属性情報に基づき、前記現在位置から前記駐車場までは、車両を利用した経路を探索し、前記駐車場から前記目的地までは、徒歩および公共交通機関を利用した経路を探索する。
【００１１】
なお、前記判定手段は、前記目的地設定手段により設定された前記目的地が、少なくともスポーツ施設、ホール、劇場のうち、いずれか１つに該当する場合、前記催事会場であると判定する。
もしくは、通信ネットワークと接続可能な通信手段と、前記目的地設定手段により目的地が設定されたとき、設定された前記目的地で開催されるイベント情報を、前記通信手段を介して取得する催事情報取得手段と、前記判定手段は、前記催事情報取得手段により取得した前記目的地で開催されるイベント情報に基づき、前記目的地でイベントが開催中または開催予定である目的地を催事会場であると判定する。
【００１２】
本発明の電子装置の駐車場検索方法は、少なくとも施設情報を含む地図データに基づき、目的地周辺の駐車場を検索する電子装置の周辺駐車場検索方法であって、前記目的地を設定する目的地設定ステップと、前記目的地設定ステップにより設定された前記目的地が催事会場であるか否かを判定する判定ステップと、前記判定ステップにより前記目的地が催事会場であると判定されたとき、前記目的地を含む前記目的地周辺の第１範囲外の駐車場を検索する検索ステップと、前記検索ステップにより検索された駐車場をディスプレイに表示させる表示制御ステップと、を有する。
【００１３】
好ましくは、前記検索ステップは、前記駐車場を検索するとき、前記第１範囲外であり、かつ、前記第１範囲より広域な前記第１範囲を包含する第２範囲内に存在する駐車場を検索する。そして、前記表示制御ステップは、検索された駐車場を前記ディスプレイに表示させるとき、リスト形式で表示させる。
【００１４】
本発明の電子装置の周辺駐車場検索プログラムは、少なくとも施設情報を含む地図データに基づき、目的地周辺の駐車場を検索する電子装置の周辺駐車場検索プログラムであって、前記目的地を設定する目的地設定ステップと、前記目的地設定ステップにより設定された前記目的地が催事会場であるか否かを判定する判定ステップと、前記判定ステップにより前記目的地が催事会場であると判定されたとき、前記目的地を含む前記目的地周辺の第１範囲外の駐車場を検索する検索ステップと、前記検索ステップにより検索された駐車場をディスプレイに表示させる表示制御ステップと、を実行する。
【００１５】
好ましくは、前記検索ステップは、前記駐車場を検索するとき、前記第１範囲外であり、かつ、前記第１範囲より広域な前記第１範囲を包含する第２範囲内に存在する駐車場を検索する。
【発明の効果】
【００１６】
本発明によれば、ユーザによって設定された目的地が催事会場であるか否かを判定し、催事会場であると判定されたとき、目的地周辺の所定範囲に存在する駐車場を除外して検索するようにしたことで、催事会場などを目的地としたときの目的地周辺駐車場案内機能の利便性を向上させることができる。
【図面の簡単な説明】
【００１７】
【図１】本発明の実施例に係るナビゲーション装置の構成例を示すブロック図である。
【図２】本発明の実施例に係るナビゲーション装置の駐車場検索プログラムにより実行される周辺駐車場検索処理の機能ブロック図である。
【図３】本発明の実施例に係る周辺駐車場検索における検索範囲（第１範囲および第２範囲）の設定変更を行うときのイメージ図である。
【図４】本発明の実施例に係る周辺駐車場検索処理の動作フローを示す図である。
【図５】本発明の実施例に係る周辺駐車場検索処理の表示例を示す図である。
【図６】本発明の変形例に係る駐車場検索プログラムにより実行される周辺駐車場検索処理の機能ブロック図である。
【発明を実施するための形態】
【００１８】
本発明の実施形態について、図面を参照して詳細に説明する。本発明の電子装置は、自動車などの移動体上に固定的に搭載されるもの、ユーザによって移動体に持ち込むことができるもの、あるいは、移動体から着脱可能なもののいずれであってもよい。また、本発明の電子装置は、例えば、ノート型パーソナルコンピュータ、タブレット型パーソナルコンピュータ、パームトップ型コンピュータ、多機能携帯電話端末（スマートフォン）、携帯電話端末、車載装置、車載システム、ナビゲーション装置、ナビゲーションシステム等の電子装置または電子システムにおいて実施することができる。
以下の説明では、電子装置の一例として、移動体である車両に搭載されたナビゲーション装置を例にとって説明する。
【００１９】
［実施例］
図１は、本発明の実施例に係るナビゲーション装置１の構成を示す図である。同図において、ナビゲーション装置１は、ユーザインタフェースを構成する入力部１０と、ＧＰＳ受信機２０と、自律航法センサ２１と、他の電子装置とのインタフェースを構成する外部インタフェース（以下、外部Ｉ／Ｆ）３０と、各種画像や映像をディスプレイ４０に表示する表示出力部４１と、音声をスピーカ５０から出力する音声出力部５１と、各種データを格納するデータメモリ６０と、各種プログラムやアプリケーションを記憶するプログラムメモリ１００と、ナビゲーション機能および各部を制御する制御部２００と、を含んで構成される。
【００２０】
ただし、図１に示すナビゲーション装置１の構成は、一例であることに留意すべきである。例えば、ナビゲーション装置１は、記憶媒体に記憶されたマルチメディアデータを再生する機能、ラジオやテレビ放送を受信および再生する機能、携帯電話やスマートフォンなどの外部装置を接続する機能、無線通信機能などを適宜備えるものであってもよい。
【００２１】
入力部１０は、ナビゲーション装置１における各種指示操作を受け付けるためのものであり、各種ボタンやディスプレイ４０の前面に取り付けられたタッチパネル、音声入力などの入力手段を含むことができ、ユーザ操作に応じた指示を制御部２００に出力する。本実施例では、好ましい態様として、入力部１０はディスプレイ４０の前面に取り付けらえたタッチパネルとして説明する。
【００２２】
ＧＰＳ受信機２０は、ＧＰＳ衛星から配信されるＧＰＳ信号（時刻や軌道に関する情報）を受信し、受信したＧＰＳ信号を、制御部２００に出力する。このＧＰＳ信号は、ナビゲーション装置１の現在位置を特定するために利用される。
【００２３】
自律航法センサ２１は、一定走行距離ごとにパルスを発生する距離センサ、加速度センサ、および、車両の回転角度を検出するジャイロなどの角度センサなどにより構成され、車両の速度、角速度や自車方位などの情報を検出し、この検出信号を制御部２００に出力する。なお、これらの情報は、車両と接続するための通信バス（図示しない）を介して、車両に備え付けられた各自律航法センサから取得するような構成であってもよい。
【００２４】
外部Ｉ／Ｆ３０は、無線や有線により他の電子装置との接続が可能なインタフェースであり、他の電子装置と各種データ通信を行う。例えば、外部Ｉ／Ｆ３０にスマートフォン（多機能携帯電話）を接続し、スマートフォンとデータのやり取りを行ったり、スマートフォンの無線通信機能を利用し、ネットワークに接続し、インターネットを行ったりすることができる。また、外部Ｉ／Ｆ３０に無線通信モジュールが搭載されている場合には、他の電子装置を介さず、直接無線ネットワークに接続し、この無線ネットワークに接続されたサーバなどから情報を取得することができる。
【００２５】
表示出力部４１は、制御部２００から提供される地図画像や拡大図画像、目的地設定画面、駐車場検索結果などの各種画像データをディスプレイ４０に表示させる。
音声出力部５１は、制御部２００から提供される誘導案内音声などの音声信号をＤ／Ａ変換し、アンプやスピーカ５０を介して、音声出力する。
【００２６】
データメモリ６０は、ＨＤＤ（Ｈａｒｄ  Ｄｉｓｋ  Ｄｒｉｖｅ）、フラッシュメモリなどの記憶装置であり、地図データの集合である地図データベース（以下、地図ＤＢ）や音声案内を行う際に用いる音声データ、各種画面を生成する際に用いる画像データなど、ナビゲーション装置１で利用する各種データを記憶する。なお、このデータメモリ６０に記憶される地図データや音声データ、画像データなどは、外部Ｉ／Ｆ３０が無線ネットワークを介して、外部のデータセンターなどに接続されている場合、このサーバから取得できるようにしてもよい。
【００２７】
地図ＤＢの地図データは、地図データの作成日時やバージョン情報などを記述した管理データ、道路属性情報を含む道路ネットワークを表す道路ネットワークデータ、地図を描画するための地図描画データ、施設、店舗、建物、建築物などの詳細情報を表す施設情報データ、経路探索時に利用するコスト情報などを有する経路探索データ、誘導案内に利用する誘導案内データなどを含んで構成され、所定の地理的区域ごとに図葉と呼ばれる矩形単位や縮尺レベル単位に格納されている。
【００２８】
道路ネットワークデータには、交差点などの道路の連結点を表すノードと、ノード間を連結するリンクのデータから構成され、リンクごとに道路属性情報を含んでいる。この道路属性情報としては、例えば、国道、都道府県道、市道といった道路種別情報、そのリンク（道路）を通行可能な手段の情報（自家用車、バス、トラック、２輪車、電車、船・フェリー、自転車、徒歩など）などがある。
施設情報データは、施設毎に、施設の識別ＩＤ、施設名称、住所、電話番号、ジャンル情報、地図表示アイコンなどの情報や、施設位置（座標情報）などを含んでいる。
【００２９】
プログラムメモリ１００は、制御部２００が実行する各種プログラムやアプリケーションを格納する。ナビゲーション装置１が実行する主なプログラムには、現在位置特定プログラム１１０と、地図描画プログラム１２０と、目的地設定プログラム１３０と、駐車場検索プログラム１４０と、経路探索プログラム１５０と、誘導案内プログラム１６０とが、存在する。
【００３０】
現在位置特定プログラム１１０は、ＧＰＳ受信機２０や自律航法センサ２１からの検出信号に基づき、現在位置の特定を実行する。このとき、必要に応じて、データメモリ６０の地図データに基づき、マップマッチングなどの処理を行う。そして、現在位置特定プログラム１１０は、特定した現在位置の情報を、後述する地図描画プログラム１２０、経路探索プログラム１５０や誘導案内プログラム１６０に提供する。
【００３１】
地図描画プログラム１２０は、現在位置特定プログラム１１０によって特定された現在位置周辺や、入力部１０により指定されたカーソル位置周辺の地図データを地図ＤＢから読み出し、地図画像の描画を実行する。また、地図描画プログラム１２０は、後述する目的地設定プログラム１３０が設定した目的地周辺の地図画像を描画する。地図描画プログラム１２０によって生成された地図画像を表示出力部４１に出力され、表示出力部４１がディスプレイ４０に表示する。
【００３２】
目的地設定プログラム１３０は、ユーザによって選択指示された施設や地点などを目的地に設定する。目的地の設定は、施設名称検索やジャンル検索、住所検索、電話番号検索などの施設検索メニューにより、所望の施設を検索し、選択することで、選択された施設を目的地に設定する。また、ユーザが入力部１０を用いて地図上のカーソルなどを動かし、所定の地点を指定すると、当該地点を目的地に設定することもできる。目的地設定プログラム１３０は、設定した目的地に関する情報を駐車場検索プログラム１４０および経路探索プログラム１５０に提供する。
【００３３】
駐車場検索プログラム１４０は、目的地設定プログラム１３０により目的地に設定された施設または地点がイベント会場であるか否かを判定し、イベント会場である場合、当該目的地周辺の所定のエリア内の駐車場を検索する周辺駐車場検索処理を実行する。そして、駐車場検索プログラム１４０は、検索した結果を表示出力部４１に出力し、表示出力部４１がディスプレイ４０に表示する。
この駐車場プログラム１４０が実行する周辺駐車場検索処理の詳細は、後述する。
【００３４】
経路探索プログラム１５０は、現在位置特定プログラム１１０によって特定された現在位置あるいは入力部１０を介してユーザによって指定された位置を出発地として、目的地設定プログラム１３０によって設定された目的地に至る経路を探索する。さらに、経路探索プログラム１５０は、駐車場検索プログラム１４０によって検索された駐車場から、ユーザにより所望の駐車場が選択されると、現在位置あるいはユーザによって指定された位置から駐車場までの経路を探索する。あるいは、経路探索プログラム１５０は、ユーザにより所望の駐車場が選択されると、現在位置あるいはユーザによって指定された位置から駐車場を経由し、目的地に至る最適な経路を探索するようにしてもよい。そして、経路探索プログラム１５０は、探索された経路を誘導経路として誘導案内プログラム１６０に提供される。
【００３５】
以下、経路探索プログラム１５０が行う経路探索は、現在位置特定プログラム１１０によって特定された現在位置を出発地とする例で説明するが、上述するように、ユーザが入力部１０を用いて指定した位置を出発地とすることも可能である。
【００３６】
誘導案内プログラム１６０は、現在位置特定プログラム１１０が特定した現在位置および経路探索プログラム１５０が探索した誘導経路に基づき、表示出力部４１や音声出力部５１を介して、地図への経路描画、分岐点や交差点での拡大図画像の表示、および音声案内など各種誘導案内を行う。表示出力部４１に提供された各種画像データは、ディスプレイ４０に表示され、音声出力部５１に提供された案内音声は、スピーカ５０から出力され、ユーザに対して誘導案内が行われる。
【００３７】
制御部２００は、中央処理装置、マイクロコンピュータ、またはマイクロプロセッサなどの装置を含み、プログラムメモリ１００に記憶された各種プログラムを実行し、ナビゲーション装置１の各部の制御を行う。
【００３８】
次に、本発明の実施例に係るナビゲーション装置１の周辺駐車場検索処理に関する機能的な構成ブロック図を図２に示す。この周辺駐車場検索処理は、制御部２００が駐車場検索プログラム１４０を実行することにより処理され、図２に示すように、イベント会場判定部１４１と、周辺駐車場検索部１４２と、検索結果表示処理部１４３と、検索エリア設定部１４４と、を含んで構成される。
ただし、同図には、本発明の実施例に係る周辺駐車場検索処理を実行するための機能ブロック図のみを示している。
【００３９】
イベント会場判定部１４１は、好ましい態様として、目的地設定プログラム１３０によって目的地に設定された施設について、その施設情報データのジャンル情報に基づき、この施設がイベント会場であるか否かの判定を行う。具体的には、イベント会場判定部１４１は、目的地に設定された施設のジャンル情報が、例えば「スポーツ施設」、「ホール」、「劇場」のいずれかである場合、設定された目的地がイベント会場であると判定する。
【００４０】
一方、目的地に設定された施設のジャンル情報が上記以外の場合、当該目的地がイベント会場ではないと判定する。ただし、イベント会場と判定するジャンル（「スポーツ施設」、「ホール」、「劇場」）は、一例であることに留意すべきであり、イベントが開催されうるジャンルであればどのようなジャンルであってもよい。また、ユーザにより、イベント会場であると判定するジャンルを選択、設定できるようにしておいてもよい。
【００４１】
また、他の態様として、施設情報データにイベント会場であるか否かを示すフラグ情報を格納しておき、イベント会場判定部１４１は、このフラグ情報に基づき、イベント会場であるか否かの判定を行うようにしてもよい。
【００４２】
周辺駐車場検索部１４２は、イベント会場判定部１４１により目的地がイベント会場であると判定されたとき、目的地設定プログラム１３０によって設定された目的地を含む第１範囲外に存在し、かつ、この第１範囲より広域の第２範囲内に存在する駐車場を検索する。周辺駐車場検索部１４２は、この第１範囲および第２範囲として、後述する検索エリア設定部１４４により設定されている値を参照する。例えば、周辺駐車場検索部１４２は、目的地設定プログラム１３０によって設定された施設を中心に半径３００ｍの範囲の外側に存在し、かつ、１０００ｍの範囲の内側に存在する駐車場を検索する。
【００４３】
また、後述する検索エリア設定部１４４により第１範囲または第２範囲が変更されると、周辺駐車場検索部１４２は、検索エリア設定部１４４から提供される変更された第１範囲または第２範囲に基づき、第１範囲外に存在し、かつ、第２範囲内に存在する駐車場を検索する。周辺駐車場検索部１４２は、検索した駐車場の情報を検索結果表示処理部１４３に提供する。
【００４４】
検索結果表示処理部１４３は、周辺駐車場検索部１４２によって検索された駐車場を、その駐車場情報に基づき、リスト形式で表示させる。このとき、検索された駐車場の検索結果リストは、そのリストのみを表示させるか、地図上に重畳させて表示させるようにする。この検索結果リストには、例えば、駐車場の名称、設定した目的地までの直線距離が表示される。
【００４５】
また、検索結果表示処理部１４３は、周辺駐車場検索部１４２によって検索された駐車場に対して、当該検索された駐車場を示すアイコンを強調表示させたり、当該検索された駐車場以外のアイコンを消去させたりするなど、地図描画プログラム１２０が描画した地図上に検索された駐車場を示すアイコンが、それ以外の駐車場を示すアイコンと区別がつくように変形させて表示する。
【００４６】
検索エリア設定部１４４は、周辺駐車場検索部１４２が駐車場検索を行う際の検索範囲の設定および設定変更を行う。なお、検索エリア設定部１４４には、デフォルト値として、第１範囲に目的地を中心とした半径３００ｍ、第２範囲に目的地を中心とした半径１０００ｍが設定されている。
【００４７】
さらに、検索エリア設定部１４４は、地図描画プログラム１２０が描画した地図上に周辺駐車場検索部１４２が検索するエリア（第１範囲および第２範囲）を重畳させ、ディスプレイ４０に表示させる。ユーザはこのエリアが重畳表示された地図に基づき、所定の操作により、そのエリアを自由に設定変更することができる。
なお、ユーザにより検索範囲が変更された場合、その変更値を記憶しておき、次回の周辺駐車場検索処理時にその変更値を用いて検索するようにしてもよく、また、変更値を記憶せず、毎回デフォルト値を用いて、検索するようにしてもよい。
【００４８】
例えば、図３（ａ）に示すように、第１範囲ＡＲ１と第２範囲ＡＲ２が表示された地図において、第１範囲ＡＲ１の境界を指でタッチし、タッチしたままなぞる操作（スライド操作）を行うと、そのタッチ位置に応じて検索エリアが変更され、図３（ｂ）に示す第１範囲ＡＲ１’のように、第１範囲を大きくしたり、図示しない小さくしたりすることが可能である。同様に、第２範囲も変更することができる。このとき、エリアの変更に合わせて、その半径距離を境界付近に表示するようにしてもよい。また、図３（ｃ）に示すように、第１範囲および第２範囲をそれぞれ、入力することにより、設定変更できるようにしてもよい。
【００４９】
他の態様として、第１範囲または第２範囲の境界をタッチした後、スライド操作の位置に応じて第１範囲または第２範囲を変更するだけでなく、第１範囲または第２範囲の境界をタッチ操作したあと、一度指を画面から離し、変更したい位置を再度タッチ操作することで、初めにタッチ操作した第１範囲または第２範囲を変更するようにすることも可能である。また、第１範囲または第２範囲の境界をタッチ操作した後、そのタッチ操作した指はそのまま画面をタッチし続けた状態で、別の指で変更したい位置をタッチ操作することで、そのタッチ操作した位置に第１範囲または第２範囲を変更するようにすることもできる。
【００５０】
以下、検索エリア設定部１４４が行う検索範囲の設定は、上述するように目的地を中心とした半径距離に基づき、設定する例を説明するが、これに限らず、第１範囲が目的地を含み、さらに、第２範囲が第１範囲を含むような形状であれば、自由に変形させることもできる。例えば、目的地を中心とした半径距離ではなく目的地からの道程距離とする範囲とすることも可能であり、また、目的地が存在する図葉を検索範囲とすることが考えられる。また、ユーザがタッチパネルを利用し、自由に検索範囲を設定することも考えられる。
【００５１】
次に、上記のように構成された実施例に係るナビゲーション装置１の周辺駐車場検索処理および経路案内処理の動作を、図４を参照して説明する。
【００５２】
ユーザが入力部１０を用いて、施設名称検索やジャンル検索、住所検索、電話番号検索などの施設検索メニューや地図上のカーソル移動などにより所望の施設を検索し（ステップＳ１０１）、目的地設定操作を行うと、目的地設定プログラム１３０によって操作指示された施設や地点が目的地として設定される（ステップＳ１０３）。そして、イベント会場判定部１４１は、目的地設定プログラム１３０によって目的地に設定された施設または地点について、地図ＤＢの施設情報データのジャンル情報に基づき、当該施設または地点がイベント会場であるか否かの判定を行う（ステップＳ１０５）。もし、ステップＳ１０３にて、地点が目的地に設定された場合には、その地点に紐づく施設を特定し、当該施設がイベント会場であるか否かの判定を行う。
【００５３】
具体的には、イベント会場判定部１４１は、目的地設定プログラム１３０によって目的地として設定された施設について、地図ＤＢの施設情報を参照し、この施設のジャンルを特定する。そして、イベント会場判定部１４１は、特定したジャンルが「スポーツ施設」、「ホール」、「劇場」のいずれかに該当するか否かによりイベント会場であるか否かを判定する。
なお、目的地として地点が設定され、その地点に施設が存在しない場合は、当周辺駐車場検索処理を終了し、経路探索プログラム１５０が現在位置から目的地までの経路を探索し、誘導案内プログラム１６０が探索した経路を誘導案内する。
【００５４】
イベント会場判定部１４１による判定の結果、目的地に設定された施設がイベント会場であれば、すなわち、目的地に設定された施設が「スポーツ施設」、「ホール」、「劇場」のいずれかに該当すれば、周辺駐車場検索部１４２は、検索エリア設定部１４４に設定されている第１範囲および第２範囲を取得し、目的地設定プログラム１３０によって設定された目的地を含む第１範囲外に存在し、かつ、この第１範囲より広域の第２範囲内に存在する駐車場を検索する（ステップＳ１０７）。そして、周辺駐車場検索部１４２は、検索結果を検索結果表示処理部１４３に提供する。
【００５５】
続いて、検索結果表示処理部１４３は、周辺駐車場検索部１４２から検索結果を受け、検索された駐車場の検索結果リストを生成し、生成した検索結果リストを、表示出力部４１を介してディスプレイ４０に表示させる。それと同時に、検索結果表示処理部１４３は、地図描画プログラム１２０が生成した地図上に表示される駐車場アイコンのうち、検索された駐車場のアイコンを他の駐車場アイコンとは異なる表示形態で表示させる（ステップＳ１０９）。また、検索エリア設定部１４４は、設定されている第１範囲および第２範囲に基づき、ディスプレイ４０に表示される地図に、第１範囲を示す円および第２範囲を示す円も重畳させる。
このとき、ユーザにより第１範囲または第２範囲の変更操作が入力部１０に入力されると、この変更操作に応じて、検索エリア設定部１４４が第１範囲や第２範囲を変更し、そして、変更された第１範囲や第２範囲に応じた駐車場検索（ステップＳ１０７）および検索結果表示（ステップＳ１０９）の処理が随時実行される。
【００５６】
その後、ユーザがディスプレイ４０に表示された駐車場の検索結果リストから所望の駐車場を１つ選択すると（ステップＳ１１１）、経路探索プログラム１５０は、現在位置特定プログラム１１０によって特定された現在位置から選択された駐車場を経由し、目的地に至る経路を探索する（ステップＳ１１３）。このとき、経路探索プログラム１５０は、その利用形態にあわせ、地図データの道路属性情報に従い、現在位置から駐車場までを車両が走行可能な道路を用いた経路を探索し、駐車場から目的地までを歩行可能な道路を用いた経路を探索する。もしくは、経路探索プログラム１５０は、単に現在位置から選択された駐車場に至る経路を探索するだけであってもよい。
【００５７】
ステップＳ１０５に戻り、イベント会場判定部１４１による判定の結果、目的地に設定された施設がイベント会場でなければ、すなわち、目的地に設定された施設が「スポーツ施設」、「ホール」、「劇場」以外のジャンルであれば、経路探索プログラム１５０は、現在位置から設定された目的地に至る経路を探索する（ステップＳ１１５）。
そして、誘導案内プログラム１６０は、経路探索プログラム１５０がステップＳ１１３またはステップＳ１１５で探索した経路の誘導案内を実行する。
【００５８】
このナビゲーション装置１の駐車場検索処理の具体例を、図５を用いて説明する。図５では、ユーザがスポーツ施設である「ＴＫドーム」を、所定の施設検索メニューにより、目的地に設定したときの例を示す。図５（ａ）に示すように、ＴＫドームの周辺には複数の駐車場（Ａ〜Ｈ）が存在しており、それぞれ駐車場を表すアイコン（Ｐマーク）が地図上に表示されている状況を示している。
【００５９】
上述するように、ユーザが所定の施設検索ニューから「ＴＫドーム」を検索し、目的地に設定すると、イベント会場判定部１４１が、目的地に設定された「ＴＫドーム」の施設情報データのジャンル情報を地図ＤＢから参照し、「スポーツ施設」、「ホール」、「劇場」のいずれかに該当するか判定する。「ＴＫドーム」はスポーツ施設であるため、イベント会場判定部１４１は、目的地がイベント会場であると判定し、その結果を周辺駐車場検索部１４２に提供する。
【００６０】
周辺駐車場検索部１４２は、この結果を受け、検索エリア設定部１４４に設定されている第１範囲（目的地を中心とした半径３００ｍのエリア）と第２範囲（目的地を中心とした半径１０００ｍのエリア）を取得し、図５（ｂ）に示すように、第１範囲ＡＲ３外であり、かつ、第２範囲ＡＲ４内（つまり、第１範囲ＡＲ３と第２範囲ＡＲ４の間）の駐車場を地図ＤＢより検索する。その結果、周辺駐車場検索部１４２は、第１範囲ＡＲ３と第２範囲ＡＲ４の間に存在する駐車場として、目的地「ＴＫドーム」から近い順に、「Ｆ駐車場」、「Ｅ駐車場」、「Ｃ駐車場」の３つの駐車場を検索し、この検索結果を、検索結果表示処理部１４３に提供する。
【００６１】
検索結果表示処理部１４３は、地図描画プログラム１２０により生成された目的地「ＴＫドーム」周辺の地図に対して、検索された「Ｆ駐車場」、「Ｅ駐車場」、「Ｃ駐車場」を示す各アイコンを強調表示させるとともに、第１範囲ＡＲ３および点線で示す第２範囲ＡＲ４を重畳させた地図画像を生成し、さらに、検索結果のリストＬ１を生成する。そして、検索結果表示処理部１４３は、これらの情報を、表示出力部４１を介して、図５（ｃ）に示す画面をディスプレイ４０に表示させる。この検索結果のリストＬ１は、一画面に表示可能な項目数を３項目とした例を示しており、検索された結果、４項目以上（一画面に表示可能な項目数より多い）の場合は、検索結果リストの下に表示されたボタンＫＹ１を押下することで、４つめ以降の情報を表示させることが可能である。なお、この一画面に表示可能な項目数は、一例であることに留意すべきであり、一画面に４項目、５項目など自由に変形させることは可能である。
【００６２】
このように、実施例に係るナビゲーション装置１は、ユーザによって設定された目的地がイベント会場であるか否かを判定し、イベント会場であると判定されたとき、目的地周辺の第１範囲外の駐車場を検索するようにしたことで、目的地周辺駐車場案内機能の利便性を向上させることができる。さらに、目的地周辺の駐車場を検索する際、第１範囲外でありかつ第２範囲内の駐車場を検索するようにしたことで、よりユーザの行動範囲を考慮した目的地周辺駐車場を検索することができる。
【００６３】
［変形例］
上述する実施例に係るナビゲーション装置１では、目的地に設定された施設や地点が所定のジャンルである場合に、イベント会場であると判断する例を説明したが、これに限らず、イベント情報取得機能を有し、目的地に設定された施設や地点において、イベントが開催中または開催予定であるかの情報を、インターネットを介して取得し、当該目的地に設定された施設や地点がイベント会場であるか否かを判定するようにすることも可能である。
【００６４】
このようなインターネットを介してイベント情報を取得し、目的地設定プログラム１３０により設定された目的地がイベント会場であるか否かを判定する変形例に係る周辺駐車場検索処理の機能的な構成ブロック図を図６に示す。図６に示すように、上述する実施例のナビゲーション装置１の機能構成ブロック図（図２）と比べ、イベント会場判定部１４１の代わりにイベント会場判定部１４１’を含んで構成され、イベント会場判定部１４１’は、情報取得部１４１Ａと判定実行部１４１Ｂとを含んで構成される。ただし、同図には、本発明の変形例に係る周辺駐車場検索処理を実行するための機能ブロック図のみを示している。
【００６５】
イベント会場判定部１４１’は、情報取得部１４１Ａと判定実行部１４１Ｂを含んで構成され、情報取得部１４１Ａがイベント情報取得処理を実行し、判定実行部１４１Ｂがイベント会場判定処理を実行する。
情報取得部１４１Ａは、目的地設定プログラム１３０から目的地に設定された施設において、当該施設で開催されるイベントの情報を外部Ｉ／Ｆ３０を介して、インターネット上のサーバから取得する。例えば、情報取得部１４１Ａは、目的地に設定された施設の名称に基づき、その施設のホームページをインターネット上のサーバで検索し、検索されたホームページからイベント情報を取得したり、また、専用のイベント情報サーバから目的地に設定された施設のイベント情報を取得したりすることができる。これらのイベント情報の取得方法は一例であり、公知の技術（例えば、特開２０１１−７５３９２号、特開２０１３−７６０８号）を利用して取得すればよい。
【００６６】
判定実行部１４１Ｂは、情報取得部１４１Ａが取得したイベント情報に基づき、目的地設定プログラム１３０によって目的地に設定された施設が、イベント会場であるか否かの判定を行う。具体的には、判定実行部１４１Ｂは、情報取得部１４１Ａが取得したイベント情報に基づき、目的地に設定された施設において、イベントが開催中または開催予定である場合、当該目的地に設定された施設がイベント会場であると判定する。一方、判定実行部１４１Ｂは、目的地に設定された施設において、イベントが開催中または開催予定でない場合には、当該目的地に設定された施設がイベント会場ではないと判定する。
【００６７】
ここで、判定実行部１４１Ｂが開催中であるか否かを判定する際、情報取得部１４１Ａが取得したイベント情報の開催日時情報（イベント開始時刻とイベント終了時刻）とイベント情報を取得した時間に基づき、取得した時間がイベント開始時刻とイベント終了時刻の間である場合、開催中であると判定する。また、判定実行部１４１Ｂが開催予定であるか否かを判定する際、情報取得部１４１Ａが取得したイベント情報の開催日時情報と目的地への到着予想時間に基づき、目的地への到着予想時間がイベント開催時間中、またはイベント開始時刻の所定時間前（例えば２時間前）である場合、開催予定であると判定する。
【００６８】
また他の態様では、イベント会場判定部１４１’は、情報取得部１４１Ａがイベント情報取得処理を実行する前に、上述する実施例と同様に目的地設定プログラム１３０により目的地に設定された施設のジャンルを特定し、当該施設が所定のジャンルである場合にのみ、上述するイベント情報取得処理およびイベント会場判定処理を実行することも可能である。
【００６９】
このイベント会場判定部１４１’が、本発明の実施例に係るナビゲーション装置１のイベント会場判定部１４１に代わり、図４に示す周辺駐車場検索処理における目的地がイベント会場であるか否かの判定（ステップＳ１０５）を行うことで、変形例に係る周辺駐車場検索処理が実現される。
【００７０】
このように、変形例においては、目的地設定プログラム１３０によって目的地に設定された施設において、インターネットなどを介して、当該施設のイベント情報を取得することで、実際にイベントが開催中または開催予定である否かに応じて、イベント会場であるか否かを判定するようにしたので、実際にイベントが開催中または開催予定である施設や地点に限定して、周辺駐車場検索処理を実行することが可能となるため、目的地周辺駐車場の案内機能の利便性をより向上させることができる。
【００７１】
その他、上記実施形態は、何れも本発明を実施するにあたっての具体化の一例を示したものに過ぎず、これによって本発明の技術的範囲が限定的に解釈されてはならないものである。すなわち、本発明は、その要旨、またはその主要な特徴から逸脱することなく、様々な態様で実施することができる。
【符号の説明】
【００７２】
１、２  ナビゲーション装置                １０  入力部
２０  ＧＰＳ受信機                        ２１  自律航法センサ
３１  外部インタフェース                  ４０  ディスプレイ
４１  表示出力部                          ５０  スピーカ
５１  音声出力部                          ６０  データメモリ
１００  プログラムメモリ                  １１０  現在位置特定プログラム
１２０  地図描画プログラム                １３０  目的地設定プログラム
１４０  駐車場検索プログラム              
１４１、１４１’  イベント会場判定部      １４２  周辺駐車場検索部
１４３  検索結果表示処理部                １４４  検索エリア設定部
１５０  経路探索プログラム                １６０誘導案内プログラム
ＡＲ１、ＡＲ１’、ＡＲ３  第１範囲          ＡＲ２、ＡＲ３  第２範囲
Ｌ１  検索結果リスト
【図１】
2016024166.tif 000003
【図２】
2016024166.tif 000004
【図３】
2016024166.tif 000005
【図４】
2016024166.tif 000006
【図５】
2016024166.tif 000007
【図６】
2016024166.tif 000008